(57)【要約】【課題】  ウォータハンマー現象による水撃を吸収する作用を発揮する給水配管を提供する。【解決手段】  波形の外管１０と内管２０と水撃吸収手段３０とを備える。水撃吸収手段３０を、内管２０に接続した筒体５０の内部にコイルばね５１を配備することによって構成する。波形の外管１０を樹脂管とし、波形の外管１０と内管２０との間の隙間空間を密閉空間Ｓとし、波形の外管１０の螺旋溝１１に芯材１５を配備する。波形の外管１０の波形を２条の螺旋溝１１，１２を備える管壁によって形作り、一方側の螺旋溝１１に芯材１５を配備し、他方側の螺旋溝１２の溝内空間をそのまま残しておく。【選択図】        図２
2005249014.tif 000002
【特許請求の範囲】
【請求項１】
外管と、その外管の内側に配備されて通水路を形成する柔軟な内管と、この内管の通水路内で生じたウォータハンマー現象による衝撃を緩和する水撃吸収手段とを備える給水配管において、
上記水撃吸収手段が、上記内管に接続されてその内管の上記通水路に連通する空間を形成する筒体の内部に、その空間の内部で生じた水流を攪拌して乱流化させることにより水撃を分散させるコイルばねを配備してなり、上記コイルばねの軸方向一端部が上記筒体に位置決め係止されていることを特徴とする給水配管。
【請求項２】
上記筒体が上記内管の端部に接続されていると共に、その筒体が他の給水配管との接続手段を備えている請求項１に記載した給水配管。
【請求項３】
上記外管が膨張収縮可能な可撓性を備えた樹脂管でなり、この外管と上記内管との間の隙間空間が密閉空間として形成されている請求項１又は請求項２に記載した給水配管。
【請求項４】
上記外管の内面に螺旋溝が備わっていて、可撓性を備えて螺旋状に延びる芯材が上記螺旋溝に沿って配備されてその螺旋溝の溝面に接合されている請求項３に記載した給水配管。
【請求項５】
上記外管の内面に２条の螺旋溝が備わっていて、可撓性を備えて螺旋状に延びる芯材が一方側の螺旋溝に沿って配備されてその螺旋溝の溝面に接合されていると共に、他方側の螺旋溝によって形成される溝内空間が、管軸方向で隣接している一方側の上記螺旋溝の相互間に位置している請求項３に記載した給水配管。
【請求項６】
上記外管が膨張収縮可能な可撓性を備えた樹脂管でなり、この外管の軸方向複数箇所に内向きに突き出た環状の凸部が一体に形成されていて、相隣接する上記凸部の相互間に上記内管の膨張を許容する空間が形成されていると共に、上記凸部が上記外管を保形するための補強リブを形成している請求項３に記載した給水配管。
【発明の詳細な説明】
【技術分野】
【０００１】
本発明は、給水配管、特にウォータハンマー現象を抑制するための対策が講じられた給水配管に関する。
【背景技術】
【０００２】
瞬間湯沸器やシングルレバー式の湯水混合栓のようにその操作によって流水量を急激に変化させることのできるバルブを備えた配管系では、バルブが閉じられて流水量が急激に減少すると、その配管系を流れていた水の圧力が瞬間的に上昇し、そのような急激な圧力上昇が衝撃となって衝撃音や振動を発生することがある。この現象はウォータハンマー現象として知られ、そのようなウォータハンマー現象による水撃が原因となって配管系の破損といった障害を引き起こすことがあるため、従来よりそのようなウォータハンマー現象を抑制するための対策が種々講じられている。
【０００３】
その対策の１つに、水の圧力上昇を緩衝材の変形により吸収させて急激な圧力上昇を防止する機能を備えたウォータハンマー防止器を配管系の管路に別途接続するという対策がある。しかし、この対策を講じると、ウォータハンマー防止器が目立って見苦しくなるという不都合があるだけでなく、ウォータハンマー防止器を取り付けるための専用の取付口を配管系に設置する必要があって配管系の構造に大幅な変更を加えざるを得なくなるという不都合などがあった。
【０００４】
一方、配管系の一部を形成する湯水の配管自体にウォータハンマー現象による水撃を緩和するための対策を講じることによって、上掲のウォータハンマー防止器を別途設置する必要をなくすることのできる配管についての研究がなされている（たとえば特許文献１参照）。
【０００５】
特許文献１には配管として用い得るウォータハンマー防止配管について記載がある。このウォータハンマー防止配管は、配管に管継手を介して水密接続される可撓性材料の内管と、この内管を挿入する金属製の外管とからなり、内管の内部にその内管の断面形状を保持する流路保持部材としてのスプリングを挿入し、内管の外周に所定間隔でＯリングを複数個はめ込んでいる。この特許文献１に記載されたものによると、可撓性材料の内管が金属製の外管の内側で膨張して過剰な水圧を緩和でき、内管の外周に所定間隔ではめ込んだ複数個のＯリングによって可撓性材料の内管に加わる圧力を分散させることができるので内管の老朽化を防止できる、とされている。また、内管が裂けるようなことがあっても、その内管に挿入されているスプリングによって内管の流路が確保されて水の流量が極端に少なくなったり全く流れなくなったりすることはない、とも記載されている。
【０００６】
そこで、この特許文献１に記載されているウォータハンマー防止配管についてさらに考察を加えてみると、このウォータハンマー防止配管は、外管を金属製としてその外管に高強度を持たせ、しかも、可撓性材料の内管がウォータハンマー現象による水撃によって裂けた場合のことを考慮してその内管に挿入したスプリングによって流路を確保するようにしていることから、ウォータハンマー現象によるきわめて大きな水撃が内管や外管に加わることが想定される環境下で使用される給水配管、すなわち高圧向けの給水配管として使用することが前提になっていると考えられる。
【０００７】
【特許文献１】特許第２８１１５６６号公報
【発明の開示】
【発明が解決しようとする課題】
【０００８】
しかしながら、ウォータハンマー現象は高圧向けの給水配管だけで起こるものではなく、それほど高圧ではない配管系であっても、バルブが閉じられて流水量が急激に減少するような配管系であれば起こり得る。そして、それほど高圧ではない配管系に上掲の特許文献１に記載されているウォータハンマー防止配管を用いることには次のような不都合もある。すなわち、それほど高圧でない配管系では、可撓性材料の内管が水撃によって裂けるといった事態は起こりにくいので、内管が裂けた場合のことを考慮して特許文献１のもののように内管にスプリングを挿入しておくことは、そのスプリングが水の流れ抵抗を増大させる要素になり得るという面や価格面などから考えて得策ではない。同様のことが、外管に金属管を用いているということについても云える。
【０００９】
また、特許文献１に記載されているウォータハンマー防止配管では、可撓性材料の内管に複数個のＯリングをはめ込んでおくことによって内管に加わる圧力を分散させ、内管の老朽化を防止しているけれども、そのような構成を採用するとＯリングを内管にはめ込むのに手間がかかり、また、Ｏリングの位置ずれなどが起こり得る場合にはＯリングによる圧力分散作用の信頼性が低下するおそれがある。
【００１０】
本発明は以上の状況に鑑みてなされたものであり、水撃を通水路の局部だけに介在させた水撃吸収手段によって吸収させることのできる給水配管を提供することを目的とする。
【００１１】
また、本発明は、特許文献１に記載されている流路保持部材としてのスプリングを省略することによって給水の流れ抵抗が増大することを防ぐことのできる給水配管を提供することを目的とする。
【００１２】
さらに、本発明は、特許文献１に記載されている金属製の外管に代えて膨張収縮可能な可撓性を備えた樹脂管を外管として用い、そのような外管と柔軟な内管との共働によって水撃を吸収させることのできる給水配管を提供することを目的とする。
【００１３】
さらに、本発明は、外管に樹脂管を用いても、その外管が容易に圧潰されて内管の通水路を狭めたりすることのない給水配管を提供することを目的とする。
【００１４】
さらに、本発明は、外管の形状に工夫を講じることによって水撃吸収時の内管の変形代を十分に広く確保し、それによって水撃の吸収性能を向上させることのできる給水配管を提供することを目的とする。
【課題を解決するための手段】
【００１５】
本発明に係る給水配管は、外管と、その外管の内側に配備されて通水路を形成する柔軟な内管と、この内管の通水路内で生じたウォータハンマー現象による衝撃を緩和する水撃吸収手段とを備える給水配管において、上記水撃吸収手段が、上記内管に接続されてその内管の上記通水路に連通する空間を形成する筒体の内部に、その空間の内部で生じた水流を攪拌して乱流化させることにより水撃を分散させるコイルばねを配備してなり、上記コイルばねの軸方向一端部が上記筒体に位置決め係止されている、というものである。
【００１６】
この構成であると、内管の通水路の圧力の急激な変化によって生じた水流が、その内管に接続されている筒体の内部に配備されたコイルばねにより攪拌されて乱流化する。そのため、水撃が筒体の内部で分散してウォータハンマー現象が生じにくくなり、たとえウォータハンマー現象が生じたとしても、それに伴う水撃が分散されて緩和され、内管が破壊されたり当該給水配管が破壊されたりするという事態が起こらなくなる。
【００１７】
本発明では、上記筒体が上記内管の端部に接続されていると共に、その筒体が他の給水配管との接続手段を備えていることが望ましい。これによれば、接続手段を介し金属製の筒体を利用して他の給水配管を接続することが可能になる。また、水撃を緩和するためのコイルばねが、内管の全長に亘って配備されているものではなく、その内管に接続された筒体の内部に配備されているに過ぎないので、内管の通水路を流れる給水の流れ抵抗が増大するといった事態が起こらない。なお、筒体は金属製であっても樹脂製であってもよい。
【００１８】
本発明では、上記外管が膨張収縮可能な可撓性を備えた樹脂管でなり、この外管と上記内管との間の隙間空間が密閉空間として形成されている、という構成を採用することが可能である。この構成であれば、水撃によって内管が膨張したときに、密閉空間としての隙間空間を介して樹脂管でなる波形の外管も膨張するので、内管と外管との両方が膨張して水撃を吸収する作用を発揮し、それによってウォータハンマ−現象による水撃が効率よく緩和される。
【００１９】
本発明では、上記外管の内面に螺旋溝が備わっていて、可撓性を備えて螺旋状に延びる芯材が上記螺旋溝に沿って配備されてその螺旋溝の溝面に接合されている、という構成を採用することが可能である。これによれば、水撃によって内管に加わる水圧が、芯材によって補強された外管によって受け止められるだけでなく、その水圧が芯材によって膨張代を制限された外管を伸長させることに使われるようになるので、内管や外管に径外方向に向く極端に大きな圧力が加わることが抑制されて内管や外管が水圧によって破壊されにくくなる。
【００２０】
本発明では、上記外管の内面に２条の螺旋溝が備わっていて、可撓性を備えて螺旋状に延びる芯材が一方側の螺旋溝に沿って配備されてその螺旋溝の溝面に接合されていると共に、他方側の螺旋溝によって形成される溝内空間が、管軸方向で隣接している一方側の上記螺旋溝の相互間に位置している、という構成を採用することが可能である。これによれば、一方側の螺旋溝に沿って配備されている上記芯材が、外管と内管との間の隙間空間を利用して配備されているとしても、他方側の螺旋溝によって形成される溝内空間によって内管の膨張代が確保されるので、芯材を用いて外管を補強しているものでありながら内管の膨張代が十分に確保されるようになる。そのため、樹脂製の外管の必要強度が芯材によって確保され、併せて、内管の膨張などによる水撃の吸収作用が良好に発揮されるようになる。
【００２１】
本発明では、上記芯材を省略することも可能である。すなわち、上記外管が膨張収縮可能な可撓性を備えた樹脂管でなり、この外管の軸方向複数箇所に内向きに突き出た環状の凸部が一体に形成されていて、相隣接する上記凸部の相互間に上記内管の膨張を許容する空間が形成されていると共に、上記凸部が上記外管を保形するための補強リブを形成している、という構成を採用することによって上記芯材を省略することが可能である。これによれば、外管の軸方向複数箇所にその外管と一体に形成されている環状の上記凸部が内管の膨張を許容する空間を形成することに役立っているので、その凸部が補強リブとしての機能を発揮して外管を補強しているものでありながら内管の膨張代が十分に確保されるようになる。そのため、樹脂製の外管を安価な軟質樹脂チューブなどで形成しておいても、その外管の必要強度が凸部によって確保され、併せて、内管の膨張などによる水撃の吸収作用が良好に発揮されるようになる。
【発明の効果】
【００２２】
以上のように、本発明に係る給水配管によれば、内筒に接続した筒体の内部、すなわち通水路の局部だけに介在させたコイルばねでなる水撃吸収手段によって吸収させることができるようになる。また、膨張収縮可能な可撓性を備えた樹脂管でなる波形の外管と柔軟な内管との共働によって水撃を吸収させることができるようになる。さらに、特許文献１に記載されている流路保持部材としてのスプリングを省略することによって給水の流れ抵抗が増大することを防ぐことができるようになる。したがって、水撃によって内管が破壊されるおそれがない程度の圧力、すなわちそれほど高圧でない配管系で用いられる給水配管に良好なウォータハンマー現象防止機能を付与することが可能になり、併せて、金属製の波形の外管や内管の全長部分にコイルスプリングを挿入しておく必要性がないためにウォータハンマー現象を抑制する機能を備えた給水配管を安価に提供することが可能になる。
【００２３】
また、外管の螺旋溝に芯材を配備したものでは、外管に安価な樹脂管を用いているにもかかわらず、その外管が容易に圧潰されて内管の通水路を狭めたりすることがなくなるという効果が奏されるだけでなく、水撃吸収時の内管の変形代（膨張代）を十分に広く確保し、それによって水撃の吸収性能を向上させることが可能になる。同様の効果が、芯材を省略して外管に補強リブとして役立つ凸部を一体に形成したものによっても発揮される。
【発明を実施するための最良の形態】
【００２４】
図１は本発明に係る給水配管Ａの使用状態を示した外観斜視図である。同図において、１は湯水混合栓、２は湯水切換えつまみ、３は蛇口、４は浄水器、５，６はバルブであり、ウォータハンマー現象による衝撃を緩和する水撃吸収手段を備えた給水配管Ａは、バルブ５，６と湯水混合栓１との間に介在されている。
【００２５】
図２は上記給水配管Ａの上半分を断面図で示し、下半分を側面図で示した説明図である。
【００２６】
この給水配管Ａは、波形の外管１０とその波形の外管１０の内側に配備されて通水路２１を形成している柔軟な内管２０と、水撃吸収手段３０とを備えている。波形の外管１０は可撓性を備えた樹脂管でなり、この波形の外管１０の波形は、２条の螺旋溝１１，１２を備える管壁１３によって形作られている。そして、それらの螺旋溝１１，１２のうち、一方側の螺旋溝１１の溝面の全長部分に、その螺旋溝１１に沿って配備されて螺旋状に延びる合成樹脂製の可撓性を備える芯材１５が融着によって接合されている。この構成により、波形の外管１０は、それを形成している樹脂管の可撓性や合成樹脂製の芯材１５の可撓性に見合う径方向の膨張収縮変形性と管軸方向での伸縮変形性とを備えている。言い換えると、波形の外管を金属製にした場合よりも膨張収縮性能や伸縮性能が高まっている。しかしながら、波形の外管１０は、芯材１５によって補強されているために外部荷重を受けても容易に圧潰することはなく、また、曲げた場合には、屈曲して圧潰するという状態にはならず、滑らかな湾曲線を描いて弧状に曲がるものである。波形の外管１０の他方側の螺旋溝１２の溝内空間１６には芯材１５が配備されておらず、その溝内空間１６が空間のまま残されている。しかも、この螺旋溝１２の内径やその外径は、一方側の螺旋溝１１の内径やその外径よりも少し短くなっていて、そうすることによって、波形の外管１０を容易に弧状に曲がり変形させやすくしてある。
【００２７】
内管２０にはシリコンゴムチューブ又はその他のゴムチューブのように柔軟なストレートチューブが用いられていて、その内周面は平滑である。したがって、給水は内管２０によって形成される通水路２１をほとんど抵抗なく円滑に流れる。
【００２８】
波形の外管１０の一端側及び他端側の各端部のそれぞれに金属製の円筒状コア４０が挿入され、その円筒状コア４０に備わっている螺旋凸条４１が波形の外管１０の端部に位置している他方側の上記螺旋溝１２の内部に嵌合して波形の外管１０を抜け止めしている。また、内管２０の端部に金属製の円筒状の筒体５０が内嵌着されていて、その筒体５０が上記円筒状コア４０に内嵌合されることによって、内管２０の端部が筒体５０と円筒状コア４０とにより挟持されて抜け止めされている。そして、筒体５０の内部にはステンレス製のコイルばね５１の全体が配備されていて、そのコイルばね５１の一端側の輪部５２が、筒体５０に環状に形成された係止溝５３に係合されて筒体５０に対して位置決め係止されている。さらに具体的には、コイルばね５１は、筒体５０の内周面に近接して位置していて、筒体５０の内部で伸縮可能になっている。そして、このコイルばね５１と上記筒体５０とによって上記水撃吸収手段３０が構成されている。
【００２９】
上記筒体５０は、上記円筒状コア４０の外側に突き出た突出部５４を備えていて、この突出部５４に、袋ナット６１とその袋ナット６１を保持しているフランジ管６２とでなる接続手段６０の上記フランジ管６２が嵌め込まれ、かつ、フランジ管６２と突出部５４との重なり箇所にＯリングなどのシール材５５が介在されてその重なり箇所が水密にシールされていると共に、フランジ管６２と円筒状コア４０との間にワッシャ６３が挟み込まれている。また、上記円筒状コア４０によって支えられている波形の外管１０の端部には、金属製のスカート７０が被着されていると共に、そのスカート７０を加締めることによって波形の外管１０の端部に配備されてる芯材１５を円筒状コア４０に密着させている。さらに、円筒状コア４０の端部に具備させた環状溝部４２にＯリングなどのシール材４３を嵌め、そのシール材４３によって円筒状コア４０とスカート７０との重なり箇所を水密にシールしている。以上の構成を備えた給水配管Ａでは、波形の外管１０と内管２０との間の隙間空間が密閉空間Ｓとして形成される。
【００３０】
この給水配管Ａは、図１で判るように、両端の接続手段６０，６０を利用して、他の給水配管を形成しているバルブ５，６や湯水混合栓１に接続されている。
【００３１】
図１のように湯水混合栓１などに接続されている上記給水配管Ａにおいて、たとえば湯水混合栓１の切換つまみ２が瞬間的に切り換えられるといった操作によって内管２０の通水路２１で急激な圧力の変化が生じた場合に、そのような圧力の急激な変化によって生じた水流が、内管２０に接続されている筒体５０の内部に流入し、コイルばね５１に短時間で繰り返し衝突することにより攪拌されて乱流化し、併せて、コイルばね５１が伸縮を繰り返して水流のエネルギーを吸収する。こうして水流が乱流化されると、水撃が筒体５０の内部で分散してウォータハンマー現象が生じにくくなる。また、たとえウォータハンマー現象が生じたとしても、それに伴う水撃が分散されて緩和されているので、内管２０が破壊されたり当該給水配管Ａが破壊されたりするという事態は起こらない。しかも、上記コイルばね５１は、その全体が筒体５０の内部に配備されていて、内管２０の全長部分に配備されているものではないので、内管２０の通水路２１を流れる給水の流れの抵抗となって水を流れにくくするといった事態は起こり得ない。
【００３２】
また、この実施形態では、波形の外管１０が膨張収縮可能な可撓性を備えた樹脂管でなり、この波形の外管１０と内管２０との間の隙間空間Ｓが密閉空間として形成されているために、水撃によって内管２０が膨張したときに、密閉空間Ｓとしての隙間空間を介して樹脂管でなる波形の外管１０も膨張するので、内管２０と波形の外管１０との両方が膨張して水撃を吸収する作用を発揮する。さらに加えて、水撃によって内管２０に加わる水圧が、芯材１５によって補強された波形の外管１０によって受け止められるだけでなく、その水圧が芯材１５によって膨張代を制限された波形の外管１０を伸長させることに使われるようになるので、内管２０や波形の外管１０に径外方向に向く極端に大きな圧力が加わることが抑制されて内管２０や波形の外管１０が水圧によって破壊されにくくなり、併せて、ウォータハンマー現象による水撃が効率よく緩和される。特に、この実施形態では、波形の外管１０の一方側の螺旋溝１１に沿って配備されている芯材１５が、波形の外管１０と内管２０との間の隙間空間を利用して配備されているとしても、他方側の螺旋溝１２によって形成される溝内空間１６によって内管２０の膨張代が確保されているので、波形の外管１０の必要強度が芯材１５によって確保され、併せて、内管２０の膨張などによる水撃の吸収作用が良好に発揮されるようになる。
【００３３】
図３は他の実施形態を示しており、この実施形態は、図２で説明した芯材１５を省略した事例である。すなわち、図３の給水配管では、図２で説明したフランジ管６２を省略して筒体５０の形成部材と同一の部材によってフランジ管を兼用させている点、同図で説明した円筒状コア４０を省略することによって、外管１０及び内管と筒体５０との接続に別の構造を採用している点、外管１０自体に別の構造のものを用いることによって図２で説明した芯材１５を省略している点などが図２のものと異なっている。
【００３４】
すなわち、図３の実施形態では、外管１０の外周面が管軸方向にストレートに延びる平坦面になっているのに対し、外管１０の内面側には、その外管１０の等間隔おきの軸方向複数箇所に内向きに突き出た環状の凸部１７が一体に形成されていて、相隣接する凸部１７，１７の相互間に内管２０の膨張を許容する空間１８が形成されている。そして、それらの凸部１７が、外管１０を円筒状に保形するための補強リブとを形成している。また、図例では、それぞれの環状の凸部１７…の内周面が内管２０に近接又は接触して内管２０を円筒状に保形することにも役立っている。
【００３５】
また、筒体５０は、その外周面が鋸歯状に形成された抜止め用の凹凸面５６として形成されていると共に、その先端部に段付面５７とフランジ部５８とを備えていて、先端部に袋ナット６１が嵌合状に保持されている。そして、外管１０及び内管２０の端部同士が重ね合わされ、その重なり箇所に金属製のスカート７０が被着されていると共に、そのスカート７０を加締めることによって外管１０と内管２０の端部同士の重なり箇所を筒体５０に密着させている。なお、スカート７０には、上記重なり箇所の端面を覆う環状の内向き片７１が備わっていて、その内向き片７１が上記段付面５７に突き合わされている。筒体５０の内部にステンレス製のコイルばね５１の全体が配備されていて、そのコイルばね５１の一端側の輪部５２が、筒体５０に環状に形成された係止溝５３に係合されて筒体５０に対して位置決め係止されている…などは、図２で説明したところと同様である。また、図３には給水配管Ａの一端部だけを示して他端部の構造を図示省略したけれども、この給水配管Ａの他端部は一端部と対称構造になっている。
【００３６】
この実施形態において、外管１０には塩化ビニル樹脂管などのように柔軟な樹脂管が用いられている。そのため、外管１０自体は膨張収縮可能な可撓性を備えていて、小さな力で無理なく曲り変形させることが可能である。
【００３７】
この実施形態の給水配管Ａによれば、外管１０の等間隔おきの軸方向複数箇所にその外管１０と一体に形成されている環状の凸部１７が内管の膨張を許容する空間１８を形成することに役立っているので、その凸部１７が補強リブとしての機能を発揮して外管１０を補強しているものでありながら内管２０の膨張代が十分に確保されるようになる。そのため、樹脂製の外管１０を安価な軟質樹脂チューブ（又は軟質樹脂ホース）などで形成しておいても、その外管の必要強度が凸部１７により確保され、併せて、内管２０の膨張などによる水撃の吸収作用が良好に発揮されるようになる。その他の事項は図２で説明したものと同様である。
【００３８】
この実施形態では、図１で説明したように湯水混合栓１を備えた配管系に当該給水配管Ａを用いた事例を説明したけれども、この給水配管Ａは、その他のウォータハンマー現象の生じる可能性のある配管系、たとえば管路の途中に介在してその管路の一部を形成する給水配管として用いることも勿論可能である。
【図面の簡単な説明】
【００３９】
【図１】本発明に係る給水配管の使用状態を示した外観斜視図である。
【図２】本発明の実施形態に係る給水配管の上半分を断面図で示し、下半分を側面図で示した説明図である。
【図３】本発明の他の実施形態に係る給水配管の上半分を断面図で示し、下半分を側面図で示した説明図である。
【符号の説明】
【００４０】
１０  外管
１１，１２  螺旋溝
１３  管壁
１５  芯材
１６  溝内空間
１７  凸部
１８  空間
２０  内管
２１  通水路
３０  水撃吸収手段
５０  筒体
５１  コイルばね
６０  接続手段
Ｓ  密閉空間
【図１】
2005249014.tif 000003
【図２】
2005249014.tif 000004
【図３】
2005249014.tif 000005